(57)【要約】      （修正有）【課題】アルバム購買者の正規品認証を介しての情報をリアルタイム収集してチャート（音楽チャート）に反映する方法を提供する。【解決手段】正規品認証及びチャート生成システム１０００は、アルバム１３００を購買した購買者１２００、サーバ１４００、及びサーバ１４００で運営されるデータベースＤＢを備える。サーバ１４００は、正規品認証及びチャート生成サービスを総括する中央管理プラットホームである。購買者１２００が購買したアルバム１３００には、正規品認証のために企画社または販売社が付与した固有識別情報が含まれる。アルバム１３００の購買者１２００は、自分の端末機またはＰＣを介してサーバ１４００に正規品認証を要請する。サーバ１４００は、正規品認証要請に応答して正規品認証を行い、データベースＤＢに認証情報を格納し、認証情報に基づいてレコードチャート１６００を生成できる。【選択図】図１
2020077369.tif 000002
【特許請求の範囲】
【請求項１】
サーバにより行われる方法において、
アルバムを購買した購買者の端末機から正規品認証要請を受信するステップと、
前記正規品認証要請に応答して、前記端末機に正規品認証手順のための正規品認証コンテンツを送信するステップと、
前記正規品認証コンテンツに入力される認証情報を受信するステップと、
前記受信された認証情報を予め構築されたデータベースに格納された情報と比較して前記アルバムに対する正規品認証を行うステップと、
前記アルバムが正規品と認証された場合、前記認証情報を前記アルバムと対応させて前記データベースに格納し、認証完了メッセージを前記端末機に送信するステップと、
前記認証情報に基づいて音楽チャートを生成するステップと、
を含み、
前記認証情報は、前記アルバムの固有識別情報及び前記購買者の個人情報を含み、
前記正規品認証を行うステップは、前記固有識別情報と前記データベースに格納された情報とを比較するステップを含む正規品認証及びチャート生成方法。
【請求項２】
前記アルバムは、正規品認証ホログラムまたは固有識別番号が付与されたＱＲコードが備えられ、前記固有識別番号とＱＲコードは、前記固有識別番号と前記ＱＲコードが外部に露出されないようにスクラッチ層でカバーされ、
前記固有識別番号とＱＲコードに関する情報は、前記データベースに予め格納され、
前記正規品認証要請を受信するステップは、前記ＱＲコードが前記端末機により読み取られることにより、前記端末機が前記サーバに接続するステップを含む請求項１に記載の正規品認証及びチャート生成方法。
【請求項３】
前記正規品認証コンテンツは、前記固有識別情報、前記購買者の生年月日、性別、及び地域を入力するように構成され、
前記認証情報は、ＧＰＳ通信を介して前記サーバに送信される請求項１に記載の正規品認証及びチャート生成方法。
【請求項４】
前記認証情報を格納し、前記認証完了メッセージを前記端末機に送信するステップは、
前記データベースに認証時間をさらに格納するステップを含み、
前記音楽チャートを生成するステップは、前記認証情報に基づいてリアルタイムに音楽チャートに反映してディスプレイする請求項１に記載の正規品認証及びチャート生成方法。
【請求項５】
前記音楽チャートを生成するステップは、
前記アルバムを購買した購買者達に対する地域、国、都市が表示された地図を生成するステップを含む請求項４に記載の正規品認証及びチャート生成方法。
【請求項６】
前記音楽チャートを生成するステップは、
前記認証情報に基づいて、前記アルバムを購買した購買者達の性別分布及び年齢分布を分析した結果を生成するステップを含む請求項４に記載の正規品認証及びチャート生成方法。
【請求項７】
前記認証情報から収集されたデータに基づいて前記アルバムに対する需要を予測するステップをさらに含み、
前記需要を予測するステップは、所定期間の過去認証履歴と現在リアルタイム認証される情報を反映して地域別、国別、都市別に前記アルバムの需要を予測し、前記地域、国、及び都市の人口、年齢、及び性別資料を参照して前記アルバムに対する需要を予測するように行われる請求項１に記載の正規品認証及びチャート生成方法。
【請求項８】
前記購買者に前記正規品認証に対する補償を提供するステップをさらに含み、
前記補償を提供するステップは、新規アルバム割引券及びブロマイド提供権のうち、少なくとも１つを前記端末機に送信するか、一定金額を当該アルバムのアーティスト名で積み立てて寄付できるようにするメッセージを前記端末機に送信するステップを含む請求項１に記載の正規品認証及びチャート生成方法。
【請求項９】
前記アルバムが正規品と認証されなかった場合、前記複製品または非正規品疑いメッセージを前記端末機に送信し、申告情報を受信するステップをさらに含む請求項１に記載の正規品認証及びチャート生成方法。
【請求項１０】
固有識別情報が付与されたアルバムを購買した購買者の端末機と、
前記アルバムの正規品認証のために前記端末機と接続されるサーバと、
前記固有識別情報に対応する情報が格納されたデータベースと、
を備え、
前記固有識別情報は、正規品認証ホログラム及び固有識別番号が付与されたＱＲコードを備え、
前記固有識別番号と前記ＱＲコードは、前記固有識別番号と前記ＱＲコードが外部に露出されないようにスクラッチ層を備え、
前記サーバは、前記端末機から正規品認証要請を受信し、前記端末機に正規品認証手順のための正規品認証コンテンツを送信し、前記正規品認証コンテンツを介して入力される認証情報を受信し、前記認証情報を前記データベースに格納された情報と比較して正規品認証を行い、正規品と認証された場合、前記認証情報を前記アルバムと対応させて前記データベースに格納し、前記認証情報に基づいて音楽チャートを生成するように構成される正規品認証及びチャート生成システム。
【請求項１１】
前記認証情報は、前記アルバムの前記固有識別番号、前記購買者の生年月日、性別、地域を含み、
前記音楽チャートは、前記アルバムを購買した購買者達に対する地域、国、都市が表示された地図及び前記アルバムを購買した購買者達の性別分布及び年齢分布を分析した結果を含む請求項１０に記載の正規品認証及びチャート生成システム。
【発明の詳細な説明】
【技術分野】
【０００１】
本発明は、著作権保護のための正規品認証及びチャート生成システム並びに方法に関し、より詳細には、アルバム購買者の正規品認証を介しての情報をリアルタイム収集し、これを反映してチャート（音楽チャート）を生成することで、信頼性及び正確性の高いサービスを提供するためのシステム及び方法に関する。
【背景技術】
【０００２】
現在、コンパクトディスク（Ｃｏｍｐａｃｔ  Ｄｉｓｃ：以下、「ＣＤ」と称する）、ディーブイディー（Ｄｉｇｉｔａｌ  Ｖｉｄｅｏ  Ｄｉｓｋ：以下、「ＤＶＤ」と称する）、ユーエスビー（Ｕｎｉｖｅｒｓａｌ  Ｓｅｒｉａｌ  Ｂｕｓ：以下、「ＵＳＢ」と称する）、ミュージックカード（Ｍｕｓｉｃ  Ｃａｒｄ：以下、「ＭＣ」と称する）など、様々な形態のマルチメディア製品市場が活発に発達しており、ＣＤ、ＤＶＤ、ＵＳＢ、ＭＣなどに音源とアーティストの写真や動画（ミュージックビデオ：Ｍｕｓｉｃ  Ｖｉｄｅｏ）及び関連製品などを含んで１つのアルバムとして製作されて販売される（以下、ＣＤ、ＤＶＤ、ＵＳＢ、ＭＣなどを総称して「アルバム」と称する）。しかしながら、このようなアルバムに収録されたデータと製品は、容易に複写が可能であり、不法複製による著作権者の被害が深刻な実情である。
【０００３】
一方、レコード／ミュージックビデオ業界（ｉｎｄｕｓｔｒｙ）は、所属された歌手への支援、作曲家選定／渉外、音楽ジャンル選択、レコード録音／ビデオ撮影などのように、レコード／ミュージックビデオが発売されるまでの全般的な企画を主導する企画社（以下、「レコード／ミュージックビデオ企画社」と称する）と、レコード／ミュージックビデオのＣＤ製品を製作する製作社、そして、レコード／ミュージックビデオのＣＤ製品を販売する販売社（販売先）に分類される。
【０００４】
従来の営業方式によれば、レコード／ミュージックビデオ企画社の立場では、例え、自分が作品（レコードまたはミュージックビデオ）を企画したが、発売されたレコード／ミュージックビデオのＣＤ製品を実際に購買する顧客に関する情報を直接入手することができなかった。
【０００５】
すなわち、オフライン取引により販売される場合には、購買顧客が自分の身上情報を作成しない。また、オンライン上で販売される場合であるといえども、上述したように、企画社と販売社が別途分離されているので、レコード／ミュージックビデオのＣＤ製品企画社は、実際に製品を購買した顧客に関する情報を直接かつ迅速に分かることができない。
【０００６】
また、従来の営業方式によれば、企画社は、ＣＤ製品の販売に直接関与しないので、販売実績の操作による不法流通差益、不正確な販売統計によって受けるようになる経済的な被害を防止できる手段がなかった。
【０００７】
一方、ケイポップ（Ｋ−ＰＯＰ）の世界化により、文化商品の言語的障壁から比較的自由であるという音楽の世界市場進出において、音楽データベースのグローバル化は、欠かせない重要な課題であるところ、精密な統計資料に基づいて新しいトレンドを予測し、今後の市場を分析する意思決定支援システム（ＤＳＳ）概念の高次元知能型ツールが必要である。
【０００８】
現在、相当数の音楽関連のインターネット企業も顧客関係管理（ＣＲＭ）とオンライン分析処理（ＯＬＡＰ）を介しての収益創出と、究極的には、意思決定支援システム（ＤＳＳ）と経営者情報システム（ＥＩＳ）など、高度な経営道具の活用時代を準備しているが、ほとんどの企業のレコードデータモデリングがその基礎となる実体（Ｅｎｔｉｔｙ）と関係性（Ｒｅｌａｔｉｏｎｓｈｉｐ）、事実（Ｆａｃｔ）テーブルのデータなどがレコードの特性を表現するのに最適化されておらず、正確性が劣り、これに基づくのでは、高度なデータウェアーハウジングシステムを介しての分析結果であっても信頼性が低くならざるをえない実情である。
【０００９】
また、従来には、販売データの歪曲によってレコードチャートの順位に影響を及ぼし、これにより、レコードチャートの信頼性を担保できないという問題点があった。
【発明の概要】
【発明が解決しようとする課題】
【００１０】
本発明は、アルバム購買者の正規品認証を介しての情報をリアルタイム収集してチャート（音楽チャート）に反映することができ、信頼性及び正確性を確保することができ、アルバム販売者には、地域別及び国別の正確な販売状況と需要予測を介して在庫管理の効率性を増大させることができ、レコード製作者には、著作権保護を図ることができる著作権保護のための正規品認証及びチャート生成システム並びに方法を提供することにその目的がある。
【００１１】
本実施形態がなそうとする技術的課題は、上記したような技術的課題に限定されず、以下の実施形態等からさらに他の技術的課題が類推され得る。
【課題を解決するための手段】
【００１２】
サーバにより行われる方法において、アルバムを購買した購買者の端末機から正規品認証要請を受信するステップ、前記正規品認証要請に応答して、前記端末機に正規品認証手順のための正規品認証コンテンツを送信するステップ、前記正規品認証コンテンツに入力される認証情報を受信するステップ、前記受信された認証情報を予め構築されたデータベースに格納された情報と比較して前記アルバムに対する正規品認証を行うステップ、前記アルバムが正規品と認証された場合、前記認証情報を前記アルバムと対応させて前記データベースに格納し、認証完了メッセージを前記端末機に送信するステップ、及び前記認証情報に基づいて音楽チャートを生成するステップを含み、前記認証情報は、前記アルバムの固有識別情報及び前記購買者の個人情報を含み、前記正規品認証を行うステップは、前記固有識別情報と前記データベースに格納された情報とを比較するステップを含む。
【００１３】
前記アルバムは、正規品認証ホログラムまたは固有識別番号が付与されたＱＲコードが備えられ、前記固有識別番号とＱＲコードは、前記固有識別番号と前記ＱＲコードが外部に露出されないようにスクラッチ層でカバーされ、前記固有識別番号とＱＲコードに関する情報は、前記データベースに予め格納され、前記正規品認証要請を受信するステップは、前記ＱＲコードが前記端末機により読み取られることにより、前記端末機が前記サーバに接続するステップを含んでもよい。
【００１４】
前記正規品認証コンテンツは、前記固有識別情報、前記購買者の生年月日、性別、及び地域を入力するように構成され、前記認証情報は、ＧＰＳ通信を介して前記サーバに送信されてもよい。
【００１５】
前記認証情報を格納し、前記認証完了メッセージを前記端末機に送信するステップは、前記データベースに認証時間をさらに格納するステップを含み、前記音楽チャートを生成するステップは、前記認証情報に基づいてリアルタイムに音楽チャートに反映してディスプレイする。
【００１６】
前記音楽チャートを生成するステップは、前記アルバムを購買した購買者達に対する地域、国、都市が表示された地図を生成するステップを含んでもよい。
【００１７】
前記音楽チャートを生成するステップは、前記認証情報に基づいて、前記アルバムを購買した購買者達の性別分布及び年齢分布を分析した結果を生成できる。
【００１８】
正規品認証及びチャート生成方法は、前記認証情報から収集されたデータに基づいて前記アルバムに対する需要を予測するステップをさらに含み、前記需要を予測するステップは、所定期間の過去認証履歴と現在リアルタイム認証される情報を反映して地域別、国別、都市別に前記アルバムの需要を予測し、前記地域、国、及び都市の人口、年齢、及び性別資料を参照して前記アルバムに対する需要を予測するように行われてもよい。
【００１９】
正規品認証及びチャート生成方法は、前記購買者に前記正規品認証に対する補償を提供するステップをさらに含み、前記補償を提供するステップは、新規アルバム割引券及びブロマイド提供権のうち、少なくとも１つを前記端末機に送信するか、一定金額を当該アルバムのアーティスト名で積み立てて寄付できるようにするメッセージを前記端末機に送信するステップを含んでもよい。
【００２０】
正規品認証及びチャート生成方法は、前記アルバムが正規品と認証されなかった場合、前記複製品または非正規品疑いメッセージを前記端末機に送信し、申告情報を受信するステップをさらに含んでもよい。
【００２１】
正規品認証及びチャート生成システムは、固有識別情報が付与されたアルバムを購買した購買者の端末機、前記アルバムの正規品認証のために前記端末機と接続されるサーバ、及び前記固有識別情報に対応する情報が格納されたデータベースを備え、前記固有識別情報は、正規品認証ホログラム及び固有識別番号が付与されたＱＲコードを備え、前記固有識別番号と前記ＱＲコードは、前記固有識別番号と前記ＱＲコードが外部に露出されないようにスクラッチ層を備え、前記サーバは、前記端末機から正規品認証要請を受信し、前記端末機に正規品認証手順のための正規品認証コンテンツを送信し、前記正規品認証コンテンツを介して入力される認証情報を受信し、前記認証情報を前記データベースに格納された前記対応情報と比較して正規品認証を行い、正規品と認証された場合、前記認証情報を前記アルバムと対応させて前記データベースに格納し、前記認証情報に基づいて音楽チャートを生成するように構成される。
【００２２】
前記認証情報は、前記アルバムの前記固有識別番号、前記購買者の生年月日、性別、地域を含み、前記音楽チャートは、前記アルバムを購買した購買者達に対する地域、国、都市が表示された地図及び前記アルバムを購買した購買者達の性別分布及び年齢分布を分析した結果を含んでもよい。
【発明の効果】
【００２３】
第１に、本発明は、アルバム購買者の正規品認証を介しての情報をリアルタイム収集してチャート（音楽チャート）に反映し、サービスでき、信頼性及び正確性を確保できるという効果がある。
【００２４】
第２に、本発明は、アルバム販売に対する地域別、国別、性別、年令別などに把握することができ、アルバム供給先は、正確な販売状況と範囲別需要予測を介して円滑な供給と在庫管理効率性を増大させることができるという効果がある。
【００２５】
第３に、本発明は、購買者が正規品を確認するためには、偽造が比較的容易な品質保証書等で確認しなければならないため、正規品確認可否の信頼性が落ちるが、ユーザ端末機で別のアプリを設ける必要なく中央管理プラットホームからの認証を介して購買者が直接正規品可否を容易に区別することができ、信頼性を増大させることができるという効果がある。
【００２６】
第４に、本発明は、正規品認証に対する補償及び申告システムとキャンペンを介して参加者の積極的参加を導き、不法複製や販売を防止して音源製作者に著作権保護を図るようにすることができるという効果がある。
【００２７】
第５に、本発明は、顧客の基本的な情報入力を介して正規品認証がなされるので、製品販売後、事後顧客管理が可能であるという効果がある。
【００２８】
第６に、本発明は、アルバムを購買した顧客に関する情報を直接かつ迅速に分かることができ、正確な販売実績現況を分かることができ、実際に製品を購買した顧客の階層別／年令別／男女別嗜好度などの情報を直接かつ迅速に分かることができるようになり、差別化できるサービスを提供することで、効率的な顧客関係管理と商取引を図ることができるという効果がある。
【００２９】
本発明の効果は、以上で言及されたことなどに限定されず、言及されていない他の解決課題は、下記の記載から当業者に明確に理解され得るであろう。
【図面の簡単な説明】
【００３０】
【図１】一実施形態に係る、正規品認証及びチャート生成システムを示す。
【図２ａ】一実施形態に係る、著作権保護のための正規品認証及びチャート生成方法に対するフローチャートである。
【図２ｂ】一実施形態に係る、著作権保護のための正規品認証及びチャート生成方法に対するフローチャートである。
【図３】一実施形態に係る、アルバムの正規品認証過程を説明するための図である。
【図４ａ】一実施形態に係る、正規品認証のための情報を入力するために、アルバム購買者のユーザ端末機にディスプレイされる画面である。
【図４ｂ】一実施形態に係る、複製品または非正規品を申告するために、アルバム購買者のユーザ端末機にディスプレイされる画面である。
【図５】一実施形態に係る、正規品認証ステップで格納される認証データに対するデータテーブルを示す。
【図６】一実施形態に係る、正規品認証ステップで期間別認証統計を示す。
【図７】一実施形態に係る、正規品認証ステップで期間別認証統計を示す。
【図８】一実施形態に係る、国別認証統計を示す。
【図９】一実施形態に係る、都市別認証統計を示す。
【図１０】一実施形態に係る、認証アルバムに対するリアルタイム順位チャートを示す。
【図１１】一実施形態に係る、音源ランキングに対して世界地図にマッピングしたものを示す。
【図１２】一実施形態に係る、各アルバムに対する国別ランキングを示す。
【図１３】一実施形態に係る、各アルバムに対する性別及び年令別統計を示す。
【図１４】一実施形態によって、アルバム販売及びアルバム販売と関連したデータを収集するためのシステムの概念図を示す。
【発明を実施するための形態】
【００３１】
以下において、本発明の属する技術分野における通常の知識を有する者（以下、通常の技術者）が本発明を容易に実施できるように、添付される図面を参照していくつかの実施形態が明確かつ詳細に説明されるであろう。
【００３２】
以下、本発明の好ましい実施形態に係る著作権保護のための正規品認証及びチャート生成方法について添付図面を参照して詳細に説明する。以下において説明される内容のうち、「アルバム」とは、オフラインで販売され得る音楽データが収録されたハードウェア手段を総称するものと解釈されるべきであろう。
【００３３】
図１は、一実施形態に係る、正規品認証及びチャート生成システムを示す。
【００３４】
図１に示すように、正規品認証及びチャート生成システム１０００は、アルバム１３００を購買した購買者１２００、サーバ１４００、及びサーバ１４００で運営されるデータベースＤＢを備える。
【００３５】
サーバ１４００は、正規品認証及びチャート生成サービスを総括する中央管理プラットホームであって、正規品認証及びチャート生成サービス提供者により運営される。一実施形態によって、サーバ１４００は、アルバムに関する情報及びアルバムを購買する購買者達に関する情報を管理するためのデータベースＤＢを備えるか、外部のデータベースＤＢと連結される。すなわち、データベースＤＢは、サーバ１４００の内部または外部に位置しうる。
【００３６】
購買者１２００が購買したアルバム１３００には、正規品認証のために企画社または販売社が付与した固有識別情報が含まれ得る。例えば、アルバムの各々には、正規品認証ホログラム、固有識別番号、固有識別番号が付与されたＱＲコード、及び／又は固有識別マークを有するＱＲコードが付与され得るし、固有識別番号及び／又はＱＲコードは、固有識別番号及び／又はＱＲコードが外部に露出されないようにスクラッチ層でカバーされる。固有識別番号やＱＲコードのような固有識別情報は、サーバ１４００のデータベースＤＢに予め格納されている。
【００３７】
アルバム１３００の購買者１２００は、自分の端末機（例えば、スマートフォン）（図示せず）またはＰＣを介してサーバ１４００に正規品認証を要請し、サーバ１４００は、正規品認証要請に応答して正規品認証を行う。サーバ１４００は、データベースＤＢに認証情報を格納し、認証情報に基づいてレコードチャート１６００を生成できる。図３は、一実施形態によって、購買者１２００に提供される著作権保護のための正規品認証及びチャート生成方法においてアルバムの正規品認証過程を案内するための画面である。
【００３８】
図２ａは、一実施形態によって、サーバで行われる正規品認証及びチャート生成方法のフローチャートを示す。図２ａのフローチャートは、図１のサーバ１４００により行われるが、これに制限されない。
【００３９】
図２ａに示すように、ステップＳ２１００において、サーバ１４００は、購買者１２００の端末機から正規品認証要請を受信する。一実施形態によって、購買者１２００は、サーバ１４００に自分の端末機（例えば、スマートフォン）を介してアルバム１３００の正規品認証要請を伝達し、サーバ１４００は、これを受信する。一実施形態によって、購買者１２００は、所定のインターネットリンクを介してサーバ１４００に接続することができる。または、購買者１２００がユーザ端末機（ＱＲコード認識機能を有する端末機）を介してアルバム１３００に備えられたＱＲコードを読み取り／認識することにより、ＱＲコードの情報に基づいて端末機がサーバ１４００に接続され得る。
【００４０】
ステップＳ２２００において、サーバ１４００は、正規品認証手順のための正規品認証コンテンツを購買者１２００の端末機に送信する。購買者１２００の端末機の画面には、認証情報の入力のための正規品認証コンテンツがディスプレイされ得る。認証情報は、アルバム１３００の固有識別情報及び購買者１２００の個人情報を含む。正規品認証コンテンツは、アルバム１３００に付与された固有識別情報及び／又は購買者１２００の個人情報が入力される箱（例えば、エディットボックス（Ｅｄｉｔ  Ｂｏｘ））を含む。購買者１２００の個人情報は、購買者１２００の生年月日、性別、年齢、居住地などの情報を含む。一実施形態によって、購買者１２００がＱＲコードを介してサーバ１４００に接続した場合、正規品認証コンテンツのアルバム１３００固有識別情報欄は自動で満たされる。図４ａは、正規品認証のための情報を入力するために、ユーザ端末機４０００でディスプレイされる画面の一例である。
【００４１】
さらに、図２ａに示すように、ステップＳ２３００において、サーバ１４００は、正規品認証コンテンツに入力される認証情報を受信できる。一実施形態によって、認証情報は、購買者１２００の端末機からＧＰＳ通信を介して中央管理プラットホームにリアルタイム収集される。
【００４２】
ステップＳ２４００において、サーバ１４００は、正規品認証を行う。サーバ１４００は、ステップＳ２３００で受信された認証情報と予め構築されたデータベースＤＢに格納された情報（ＤＢ情報）とを比較して正規品認証を行う。例えば、サーバ１４００は、受信された認証情報とＤＢ情報とが一致する場合（または、受信された認証情報と一致するＤＢ情報がある場合）、アルバム１３００を正規品と判断する。サーバ１４００は、受信された認証情報とＤＢ情報とが一致しない場合（または、受信された認証情報と一致するＤＢ情報がない場合）、アルバム１３００を複製品または非正規品と判断する。図５は、正規品認証ステップで格納される認証データに対するデータテーブルを示す画面の例示であり、図６及び図７は、正規品認証ステップで期間別認証統計を示す例示画面であり、図８及び図９は、各々正規品認証ステップで国別及び都市別認証統計を示す例示画面である。
【００４３】
ステップＳ２５００において、アルバム１３００が正規品と認証された場合（Ｙｅｓ）、サーバ１４００は、認証情報をアルバム１３００と対応させてデータベースＤＢに格納し、認証が完了したことを知らせる認証完了メッセージを購買者１２００の端末機に送信する。しかし、アルバム１３００が複製品または非正規品と疑われる場合（Ｎｏ）、ステップＳ２４５０において、サーバ１４００は、これをデータベースＤＢに記録する。サーバ１４００は、複製品や非正規品が疑われることを知らせるメッセージを購買者１２００の端末機に送信し、端末機から申告情報を受信できる。例えば、購買者１２００は、端末機を介して申告情報を入力し、申告情報は、サーバ１４００に送信される。申告情報は、複製／非正規品と疑われるアルバム１３００を購入した場所、経路、時間などを含む。図４ｂは、購買者１２００が購入したアルバム１３００が複製や非正規品と疑われる場合、申告情報を入力するためのユーザ端末機４０００でディスプレイされる画面の一例である。
【００４４】
ステップＳ２５００において、サーバ１４００は、認証情報をアルバムと対応させてデータベースＤＢに格納する。サーバ１４００は、ステップＳ２３００で受信された購買者１２００の個人情報（生年月日、性別、地域等）、認証時間などに関する情報をアルバム１３００の識別情報とともにデータベースＤＢに格納する。サーバ１４００は、特定アルバムに関する情報（例えば、固有識別情報）と特定アルバムを購買した購買者の個人情報とを対応させてデータベースＤＢに格納する。
【００４５】
ステップＳ２６００において、サーバ１４００は、認証情報に基づいて音楽チャートを生成できる。サーバ１４００は、受信された認証情報に基づいてリアルタイムに音楽チャートに反映し、これをディスプレイする。一実施形態によって、サーバ１４００は、アルバムを購買した購買者達に対する地域、国、都市が表示された地図を生成できる。図１０は、一実施形態によって、サーバ１４００が生成した認証アルバムに対するリアルタイム順位チャートを示し、図１１は、一実施形態によってアルバムランキングに対して世界地図にマッピングして示す画面であり、図１２は、一実施形態によって、各アルバムに対する国別ランキングを示す。また、サーバ１４００は、認証されたアルバム（アーティスト）に対する地域、国、都市などのコンテンツ別に地図にマッピングしてディスプレイし、地図マッピングディスプレイ画面にランキング（順位）による順位を表示できる。一実施形態によって、サーバ１４００は、認証情報に基づいて、アルバムを購買した購買者達の性別分布及び年齢分布を分析した結果を生成できる。サーバ１４００は、性別、年令別などに対して図表で表示して示す。図１３は、一実施形態によって、各アルバムの購買者達に対する性別及び年令別統計を示す画面である。
【００４６】
図２ｂは、一実施形態によって、サーバで行われる正規品認証及びチャート生成方法のフローチャートを示す。
【００４７】
図２ｂのフローチャートを参照すれば、サーバ１４００は、正規品認証補償ステップ（Ｓ２５５０）と需要予測ステップ（Ｓ２７００）とをさらに行う。
【００４８】
ステップＳ２５５０において、サーバ１４００は、正規品を認証した購買者１２００に当該アルバム購買による補償を提供できる。例えば、サーバ１４００は、新規アルバム割引券及びブロマイド提供権のうち、少なくとも１つを購買者１２００の端末機に送信したり、一定金額を当該アルバムのアーティスト名で積み立てて寄付できるようにするメッセージを端末機に送信する。正規品認証を完了した購買者１２００は、サーバ１４００から割引券またはポイントを自分の端末機にダウンロードする。このような補償または寄付コンテンツを介して正規品購買を奨励して著作権保護を図ることができ、特に、ファンダム層を中心に正規品消費に対する文化を拡散して著作権保護を積極的に陽性化及び活性化させることができるようになる。
【００４９】
ステップＳ２７００において、サーバ１４００は、認証情報から収集されたデータに基づいて特定アルバムに対する需要を予測できる。例えば、サーバ１４００は、所定期間の過去認証履歴と現在リアルタイム認証される情報を反映して地域別、国別、都市別等に対する需要を予測し、当該地域や国、または都市の人口、年齢、及び性別資料を参照して各アルバムに対する需要を予測するようになされることができ、このような予測情報は、供給先及び／又は販売先に提供するか、中央管理プラットホームで共有され得る。
【００５０】
ここで、アルバム認証情報と需要予測情報とは、販売先のＰＯＳ及びＡＰＩシステムと連動して管理される。
【００５１】
図１４は、一実施形態によって、アルバム販売及びアルバム販売と関連したデータを収集するためのシステムの概念図を示す。図１４の概念図は、図１のシステム１０００の具体的な実施形態である。
【００５２】
図１４に示すように、製作者及び企画者は、特定レコードの生産量を予測し、システム提供者に認証及び識別子を発給するように要請する。認証及び識別子は、流通追跡及び集計のために使用される。認証及び識別子は、ＱＲコード（ＵＰＣ、ＵＣＩ等）を含むが、これに制限されない。
【００５３】
システム提供者は、認証及び識別子を発給し、製作者及び企画者は、特定アルバムに識別子を付着して決定された生産量によってレコードを供給できる。
【００５４】
販売者は、オフライン売場とオンライン売場とを含む。消費者（レコード購買者）は、販売者からレコードを購買し、購買したレコードに対して正規品認証を要請できる。
【００５５】
システム提供者は、消費者（レコード購買者）から受信したアルバムの識別子をデータベースに予め格納された情報とマッチングさせることができる。システム提供者は、レコード販売と関連したビッグデータを収集し、これを様々に活用することができる。例えば、システム提供者は、オン・オフライン売場別販売量（返品量）をリアルタイム収集し、レコード販売と関連したデータを収集できる。一実施形態によって、レコード販売と関連したデータは、時間、国家（ＧＰＳ基盤）、アーティスト、製作社、流通社、販売店、購買者、性別、年齢、会員（サーバで提供するサービスに加入された会員）有無、数量などを含む。システム提供者は、収集されたレコード販売関連データに基づいてリアルタイム／日刊／週刊／月刊／年刊レコード販売ランキングの分析結果を生成し、アーティスト別／期間別／時間別販売分析結果を生成できる。また、オフライン売場ＰＯＳ連動とオンライン売場ＡＰＩ連動とに基づいて、各流通店の販売入庫／出庫／在庫情報を受信できる。
【００５６】
システム提供者または製作者及び企画者は、正規品認証を介して収集されるビッグデータを様々に活用することができる。例えば、販売社またはレコード／ミュージックビデオ企画社では、収集されたビッグデータを活用してアルバムに対する需要を予測（例えば、人工知能モデルを活用）することによりアルバム在庫管理をすることができる。レコード／ミュージックビデオ企画社では、実際にレコード／ミュージックビデオのＣＤ製品を購買した顧客に関する情報が分かれば、これを大切に活用することができるであろう。レコード／ミュージックビデオ企画社は、購買顧客情報から階層別、年齢別、男女別に歌手嗜好度、ジャンル嗜好度、作曲家嗜好度などを把握できる。このような情報は、新しいレコード／ミュージックビデオ作品の発売を企画するときに参考になるであろう。例えば、歌手「ホン・ギルドン」の新曲を作曲家「キム・ギルドン」に書くようにし、これらの作品を特に嗜好する十代の青少年を狙って中高校を中心として大々的な広報をすることができるであろう。
【００５７】
また、ＣＤ製品を実際購買した顧客の情報を活用すれば、レコード／ミュージックビデオ企画社は、実際購買顧客（実際に製品を購買した顧客、特定歌手に深い関心を有する顧客等）に対して差別的な（高品質の）サービスを提供できる。例えば、所属歌手に対する動向、日程を知らせることができ、意見集約、コンサート実況を動画で中継することができる。企画社（または、企画社等の依頼を受けて専門的にサービスだけを提供するコンテンツ業者）は、レコード／ミュージックビデオのＣＤ製品を実際に購買した顧客を対象として差別的なサービスを提供できる。これにより、顧客管理関係（Ｃｕｓｔｏｍｅｒ  Ｒｅｌａｔｉｏｎｓｈｉｐ  Ｍａｎａｇｅｍｅｎｔ：ＣＲＭ）次元で大きい成果を収めることができるだけでなく、顧客達に正規品購買を導くことができる。
【００５８】
以上で説明したように、本発明に係る著作権保護のための正規品認証及びチャート生成方法によれば、アルバム毎に付与された固有識別情報の入力によるマッチングに基づいて、正規品に対する認証を介してチャート（音楽チャート）にリアルタイム反映することにより、不法複製品に対するチャート（音楽チャート）反映を遮断し、正規品販売とこれによるチャート（音楽チャート）反映を信頼性のあるように図ることができるという利点がある。
【００５９】
また、本発明は、アルバム販売に対する地域別、国別、性別、年令別などに把握することができ、アルバム供給先は、正確な販売状況と範囲別需要予測を介して円滑な供給と在庫管理の効率性を増大させ、ユーザ端末機で別のアプリケーションを設ける必要なしに、中央管理プラットホームサーバからの認証を介して購買者が直接正規品可否を容易に区別することができ、購買者に信頼性をさらに付与することができ、正規品認証に対する補償を介して参加者の積極的参加を導き、不法複製や販売を防止して音源製作者において著作権保護を図ることができるという利点がある。
【００６０】
また、本発明は、顧客の基本的な情報入力を介して正規品認証がなされるので、製品販売後、事後顧客管理が可能であり、アルバムを購買した顧客に関する情報を直接かつ迅速に分かることができ、正確な販売実績現況を分かることができ、実際に製品を購買した顧客の階層別、年令別、性別嗜好度などの情報、期間別認証情報などを直接かつ迅速に分かることができ、差別的なサービスを提供することによって効率的な顧客関係管理をすることができるという利点がある。
【００６１】
説明などは、本発明を実現するための例示的な構成及び動作を提供するように意図される。本発明の技術思想は、上記で説明された実施形態だけでなく、上記の実施形態を単純に変更したり、修正して得られる実現等も含むであろう。また、本発明の技術思想は、上記で説明された実施形態を今後容易に変更したり、修正して達成される実現等も含むであろう。
【図１】
2020077369.tif 000003
【図２ａ】
2020077369.tif 000004
【図２ｂ】
2020077369.tif 000005
【図３】
2020077369.tif 000006
【図４ａ】
2020077369.tif 000007
【図４ｂ】
2020077369.tif 000008
【図５】
2020077369.tif 000009
【図６】
2020077369.tif 000010
【図７】
2020077369.tif 000011
【図８】
2020077369.tif 000012
【図９】
2020077369.tif 000013
【図１０】
2020077369.tif 000014
【図１１】
2020077369.tif 000015
【図１２】
2020077369.tif 000016
【図１３】
2020077369.tif 000017
【図１４】
2020077369.tif 000018